(57)【要約】【課題】弦楽器などの演奏時に指先及び指の腹を強化し、弦を押さえる痛みを軽減し、かつ緩衝材が弦に当らず長時間、違和感なくうまく演奏を行なえるようにする。【解決手段】指先及び指の腹の、弦に接触する部位に内側に曲がり易い緩衝部材を取り付けることで解決しようとするものである。【選択図】図４
2007256558.tif 000002
【特許請求の範囲】
【請求項１】
緩衝部材を指先又は指の腹の任意部分に装着する手段を設けた指強化具において緩衝部材に内側へ曲がり易くする手段を設けたことを特徴とする指先強化具。
【請求項２】
請求項１において緩衝部材を内側へ曲がり易くする手段が緩衝部材の外側に切り込みを入れた構造である指強化具。
【請求項３】
請求項１において緩衝部材を内側へ曲がり易くする手段が複数の緩衝部材を内側で結合する構造である指強化具。
【発明の詳細な説明】
【技術分野】
【０００１】
この発明は、指先及び指の腹を酷使する用途、例えば弦楽器演奏などに適用される指を強化する指強化具に関する。
【背景技術】
【０００２】
従来の弦楽器用指先強化具として本発明者が出願した特許文献１がある。指先又は指の腹の任意部分に緩衝部材を装着することで指先の痛みを軽減しうまく演奏できる。
【特許文献１】特願２００５−１７１９１７
【発明の開示】
【発明が解決しようとする課題】
【０００３】
しかしながら特許文献１の実施形態においては指先の痛みを軽減するため緩衝部材は硬度５５程度の硬さを持たせてある。このためギター演奏などで弦を緩衝部材の中心から少し外れた位置で押さえる際に緩衝部材の反対側が指から浮き上がる力を受け、演奏を長時間続けると緩衝部材が指から浮き上がり演奏しにくくなることがあった。
【０００４】
本発明は緩衝部材の浮き上がりを押さえることで、痛みを和らげかつ長時間うまく演奏を行なう事ができるようにすることを課題とする。
【課題を解決するための手段】
【０００５】
以上の課題を解決するために、第一発明は、緩衝部材を指先又は指の腹の任意部分に装着する手段を設けた指強化具において緩衝部材に内側へ曲がり易くする手段を設けたことを特徴とする指強化具である。
【０００６】
また第二発明は、第一発明において緩衝部材を内側へ曲がり易くする手段が緩衝部材の外側に切り込みを入れた構造である指強化具である。
【０００７】
また第三発明は、第一発明において緩衝部材を内側へ曲がり易くする手段が複数の緩衝部材を内側で結合する構造の指強化具である。
【発明の効果】
【０００８】
第一発明、第二発明、第三発明によれば、緩衝部材の浮き上がりを防止できるので長時間痛みを軽減しかつうまく演奏できる。
【発明を実施するための最良の形態】
【０００９】
この発明の第一の実施形態を、図１に示す。ギターを演奏する場合左手の指先及び指の腹で弦を押さえ音程を変えるため、弦と接触する部位に指先強化具及び指の腹強化具を取り付けた例を示す。指先強化具を指に装着する前の状態の正面図を図３に示す。このＡＢ断面図を図４に示す。４で示す指先強化具の緩衝部材として、硬度７０のゴムを用い、大きさは直径９ｍｍ，厚み１．４ｍｍで周囲は指先の形状に合わせて直径１６ｍｍの球体状に形成されている。緩衝部材の裏面（指に貼り付ける面）は粘着性を持たせてあり、指と緩衝部材との密着性を高めかつ緩衝材が指から浮き上がりにくくする効果がある。緩衝部材４の正面図を図５に、ＣＤ断面を図６に示す。直行した間隔１．１ｍｍのそれぞれ７本の切り込みが指に装着する側に０．１ｍｍを残して入っている。切り込みが外側（指に貼り付けない面）に入っているので、緩衝部材は内側（指に貼り付ける側を下として上に凸）に曲がり易くなっている。この緩衝部材による効果を図７、図８、図９を用いて説明する。図７は指先に指先強化具を装着した状態で指を中央で切った断面図である。弦を押さえていない状態で切り込みが少し開き全体的に内側に曲がり緩衝材が指先になじみ、装着していない指先の形状に近く、演奏の邪魔になりにくい。図８は緩衝部材の中心で弦を押さえた状態で、中心付近の切り込みが閉じて緩衝を行い、周辺の切り込みが開いて内側に曲がり周辺部の浮き上がりを防止している。図９は緩衝部材の中心から外れた位置で弦を押さえた状態で、弦を押さえた周辺の切り込みが閉じ緩衝を行い、中心から反対側の周辺の切り込みが開いて内側に曲がり周辺部の浮き上がりを防止している。また緩衝部材の材料として硬度７０のゴムを使用しているので、指先に硬いタコができた場合に近い感触で、弦を押さえたり、押さえながら弦の上をスライドさせたりすることができる。緩衝部材は伸縮性のある粘着テープにより指先に圧迫して装着され、その外形が圧迫前の指先の形状と同様の直径１６ｍｍの球体状であるので、装着後も装着前の指先の形状に近く、他の弦に当ることなく押さえる弦を変えることができる。
【００１０】
次に図１の２で示す指の腹強化具を指に装着する前の状態の正面図を図１０に示す。このＥＦ断面図を図１１に示す。６で示す指先強化具の緩衝部材として、硬度７０のゴムを用い、大きさは幅５ｍｍ，長さ３０ｍｍ、厚み０．４ｍｍで外側の周囲は指先の形状に合わせて直径１６ｍｍの円柱状に形成されている。緩衝部材の正面図を図１２に、ＧＨ断面を図１３に示す。直行した間隔１．１ｍｍの切り込みが指に装着する側に０．１ｍｍを残して入っている。この緩衝部材による効果は指先強化具の場合と同様である。緩衝部材として硬度７０のゴムを使用しているので、硬さが指の腹に硬いタコができた場合に近い感触で、弦を押さえたり、押さえながらスライドさせたりすることができる。緩衝部材は伸縮性のある粘着テープにより指の腹に圧迫して装着され、その外形が圧迫前の指の腹の形状と同様の直径１６ｍｍの円柱状であるので、装着後も装着前の指先の形状に近く、フレットなどに当ることなく押さえる弦を変えることができる。本実施例では人差し指の第一関節と第二関節の間及び第二間接と第三間接の間に取り付けられており、ギターの第一弦から、第四弦を同時に押さえる場合に効果的である。人差し指に装着した場合の側面図を図２に示す。本実施例では第二関節上で緩衝部材を斜めに切断することで、第二関節の曲がり易さを確保し、かつ切断箇所に弦が入り込まないようにしてある。
【００１１】
また第二の実施形態は、第一の実施形態の緩衝部材の切り込みの無い部分を透湿性のある両面テープで置き換え緩衝部材を内側で結合した構造である。この指先強化具の緩衝部材の断面図を図１４に示す。その他の構造は第一の実施形態と同様である。
【００１２】
「実施形態の効果」
本実施形態によれば、たまに演奏する場合であっても、タコができている状態と同様に痛みを軽減し、かつうまく長時間演奏でき、緩衝材が弦に当らず、違和感なく演奏できる。またタコができにくくなるので指及び指の腹にタコのない状態を保てる。第二の実施形態に示す緩衝部材の結合用に透湿性のある両面テープを採用したことにより、緩衝部材に当たる指から生じる汗が両面テープを介して発散させることができるので長時間演奏できる。
【００１３】
「他の実施形態」
本実施形態では、緩衝部材の分割又は切れ目を直行2方向としたが６０度３方向、４５度４方向などとしても良く、緩衝部材として硬度７０のゴムを使用したが汗を吸収発散させる皮革、コルクなどの素材や、樹脂やゴムに汗抜き穴や溝を設けるなどして用いても良い。また本実施形態で粘着テープの形状を長方形としたが、逆Ｔ字形として指の側面まで広く粘着させテープが剥がれにくいようにしても良い。また緩衝材の取り付けてある位置の粘着テープ表面に目印として着色又はマークを入れて、装着及び弦を押さえる目安としても良い。
【００１４】
さらに実施例一、及び二では緩衝部材を装着する手段として粘着テープを用いたが、指サック、指筒に緩衝部材を取り付けたり、粘着剤又は両面テープを緩衝部材の内側に直接付けて装着しても良い。緩衝材の硬度、形状や材質は押さえ方や楽器の種類によって変更しても良く、演奏方法など用途によって粘着テープ表面に薄い皮革、ゴム、など滑りやすさの違う他の材料を貼り付けて使用してもよい。
【図面の簡単な説明】
【００１５】
【図１】この発明の第一実施形態全体を示す斜視図である。
【図２】この発明の第一実施形態の人差し指側面図である。
【図３】この発明の指先強化具１を貼り付ける前の正面図である。
【図４】図３のＡ−Ｂ断面図である。
【図５】緩衝部材４の正面図である。
【図６】緩衝部材４のＣＤ断面図である。
【図７】人差し指を縦に中央で切った断面図である。
【図８】弦を緩衝部材の中央で押さえた状態の断面図である。
【図９】弦を緩衝部材の周辺部で押さえた状態の断面図である。
【図１０】この発明の指の腹強化具２を貼り付ける前の正面図である。
【図１１】図１０のＥ−Ｆ断面図である。
【図１２】緩衝部材６の正面図である。
【図１３】緩衝部材６のG−Ｈ断面図である。
【図１４】第二の実施形態の指先強化具の断面図である。
【符号の説明】
【００１６】
１  指先強化具の全体
２  指の腹強化具の全体
３  指先強化具のテープ
４  指先強化具の緩衝部材
５  指の腹強化具のテープ
６  指の腹強化具の緩衝部材
７  分割された緩衝部材
８  透湿性両面テープ
【図１】
2007256558.tif 000003
【図２】
2007256558.tif 000004
【図３】
2007256558.tif 000005
【図４】
2007256558.tif 000006
【図５】
2007256558.tif 000007
【図６】
2007256558.tif 000008
【図７】
2007256558.tif 000009
【図８】
2007256558.tif 000010
【図９】
2007256558.tif 000011
【図１０】
2007256558.tif 000012
【図１１】
2007256558.tif 000013
【図１２】
2007256558.tif 000014
【図１３】
2007256558.tif 000015
【図１４】
2007256558.tif 000016